(57)【要約】【課題】デジタル放送信号を劣化させることなく、高品質に伝送させる。【解決手段】空中線１０１，１０２によりそれぞれ受信されたデジタル放送のＯＦＤＭ信号をＣ／Ｎリセット処理部１２１，１２２を用いて、ＴＳ信号に変換することでＣ／Ｎ劣化をリセットする。そして、このＴＳ信号をＯＦＤＭ変調器２０１，２０２において再度ＯＦＤＭ変調して再送出するようにしたものである。ＴＳ信号を再構成することにより、Ｃ／Ｎ劣化を改善し、これにより伝搬路上又は中継装置で信号の劣化が発生しても、これを電力増幅して再送出してしまうような不具合を解消する。【選択図】      図１
2007020096.tif 000002
【特許請求の範囲】
【請求項１】
複数の受信アンテナによりＯＦＤＭ（Orthogonal Frequency Division Multiplexing：直交周波数分割多重）変調信号によるデジタル放送波をダイバーシティ受信する複数の受信手段と、
前記複数の受信手段で受信された複数のＯＦＤＭ変調信号にそれぞれＣ／Ｎ（Carrier to Noise Power Ratio：搬送波対雑音電力比）リセットを施してＴＳ（Transport Stream：トランスポートストリーム）信号を再構成し出力する複数のＣ／Ｎリセット手段と、
前記複数のＣ／Ｎリセット手段から出力される複数のＴＳ信号をそれぞれＯＦＤＭ信号に再変調する複数のＯＦＤＭ変調手段と、
前記複数のＯＦＤＭ変調手段から出力される複数のＯＦＤＭ変調信号をそれぞれ送信信号に変換する複数の変換手段と、
前記複数の送信手段から出力される送信信号のいずれかを選択的に切替出力する切替手段と、
この切替手段から出力される送信信号を送信アンテナから再送信する送信手段と
を具備することを特徴とする放送用中継装置。
【請求項２】
複数の受信アンテナそれぞれでＯＦＤＭ（Orthogonal Frequency Division Multiplexing：直交周波数分割多重）変調信号によるデジタル放送波を受信する複数の受信手段と、
前記複数の受信手段で受信された複数のＯＦＤＭ変調信号にそれぞれＣ／Ｎ（Carrier to Noise Power Ratio：搬送波対雑音電力比）リセットを施してＴＳ（Transport Stream：トランスポートストリーム）信号を再構成し出力する複数のＣ／Ｎリセット手段と、
前記複数のＣ／Ｎリセット手段から出力される複数のＴＳ信号をそれぞれＯＦＤＭ信号に再変調する複数のＯＦＤＭ変調手段と、
前記複数のＯＦＤＭ変調手段から出力される複数のＯＦＤＭ変調信号のいずれかを選択的に切替出力し、複数系統に分配する切替分配手段と、
この切替分配手段から出力される複数のＯＦＤＭ変調信号をそれぞれ送信信号に変換する複数の変換手段と、
前記複数の変換手段から出力される送信信号のいずれかを選択的に切替出力する切替手段と、
この切替手段から出力される送信信号を送信アンテナから再送信する送信手段とを具備し、
前記Ｃ／Ｎリセット手段は、ＢＥＲ（Bit Error Ratio：ビット誤り率）値を演算して出力するＢＥＲ演算手段を備え、
前記切替分配手段に対し、前記ＢＥＲ値に基づいて前記複数系統の信号選択を切り替えるＢＥＲ監視手段をさらに備えることを特徴とする放送用中継装置。
【請求項３】
複数の受信アンテナそれぞれでＯＦＤＭ（Orthogonal Frequency Division Multiplexing：直交周波数分割多重）変調信号によるデジタル放送波を受信する複数の受信手段と、
前記複数の受信手段で受信された複数のＯＦＤＭ変調信号にそれぞれＣ／Ｎ（Carrier to Noise Power Ratio：搬送波対雑音電力比）リセットを施してＴＳ（Transport Stream：トランスポートストリーム）信号を再構成し出力する複数のＣ／Ｎリセット手段と、
前記複数のＣ／Ｎリセット手段から出力される複数のＴＳ信号のいずれかを選択的に切替出力し、複数系統に分配する切替分配手段と、
前記切替分配手段から出力される複数系統のＴＳ信号をそれぞれＯＦＤＭ信号に再変調する複数のＯＦＤＭ変調手段と、
このＯＦＤＭ変調手段から出力される複数のＯＦＤＭ変調信号をそれぞれ送信信号に変換する複数の変換手段と、
前記複数の変換手段から出力される送信信号のいずれかを選択的に切替出力する切替手段と、
この切替手段から出力される送信信号を送信アンテナから再送信する送信手段とを具備し、
前記Ｃ／Ｎリセット手段は、ＢＥＲ（Bit Error Ratio：ビット誤り率）値を演算して出力するＢＥＲ演算手段を備え、
前記切替分配手段に対し、前記ＢＥＲ値に基づいて前記複数系統の信号選択を切り替えるＢＥＲ監視手段をさらに備えることを特徴とする放送用中継装置。
【発明の詳細な説明】
【技術分野】
【０００１】
この発明は、例えば、地上デジタル放送用の放送用中継装置に関する。
【背景技術】
【０００２】
地上デジタル放送のプログラムを全国の各放送所に伝送するために、放送用中継装置を用いて放送局から中継送信所までの中継ネットワークを構築する必要がある。この放送用中継装置では、伝搬路及び装置での放送信号の劣化をいかに抑えるかが重要であり、この指標としてＣ／Ｎ（Carrier to Noise Power Ratio：搬送波対雑音電力比）値が示されている。そこで、従来では、フェージングによるＣ／Ｎ値の劣化対策として、複数（通常は２本）のアンテナにより放送波を受信し、それぞれの受信信号を切替または合成することにより受信波の品質を確保する手法が提案されている（例えば、特許文献１または２を参照。）。
【特許文献１】特開２００３−３２２２３公報
【特許文献２】特開２００３−５１７６８公報
【発明の開示】
【発明が解決しようとする課題】
【０００３】
しかしながら、放送用中継装置においては、信号の変復調回路を持たない、いわゆる非再生中継方式では、中継装置及び伝播路上の信号の劣化がそのまま累積されることとなるため、可能な限り信号の劣化を抑える必要がある。このため、上記従来のような複数の受信信号の切替または合成方式では、十分な性能が得られないことがある。
【０００４】
この発明は上記事情に着目してなされたもので、その目的とするところは、デジタル放送信号を劣化させることなく、高品質に伝送することのできる放送用中継装置を提供することにある。
【課題を解決するための手段】
【０００５】
上記目的を達成するためにこの発明に係わる放送用中継装置は、複数の受信アンテナによりＯＦＤＭ（Orthogonal Frequency Division Multiplexing：直交周波数分割多重）変調信号によるデジタル放送波をダイバーシティ受信する複数の受信手段と、前記複数の受信手段で受信された複数のＯＦＤＭ変調信号にそれぞれＣ／Ｎリセットを施してＴＳ（Transport Stream：トランスポートストリーム）信号を再構成し出力する複数のＣ／Ｎリセット手段と、前記複数のＣ／Ｎリセット手段から出力される複数のＴＳ信号をそれぞれＯＦＤＭ信号に再変調する複数のＯＦＤＭ変調手段と、前記複数のＯＦＤＭ変調手段から出力される複数のＯＦＤＭ変調信号をそれぞれ送信信号に変換する複数の変換手段と、前記複数の送信手段から出力される送信信号のいずれかを選択的に切替出力する切替手段と、この切替手段から出力される送信信号を送信アンテナから再送信する送信手段とを具備することを特徴とする。
【０００６】
または、複数の受信アンテナそれぞれでＯＦＤＭ変調信号によるデジタル放送波を受信する複数の受信手段と、前記複数の受信手段で受信された複数のＯＦＤＭ変調信号にそれぞれＣ／Ｎリセットを施してＴＳ信号を再構成し出力する複数のＣ／Ｎリセット手段と、前記複数のＣ／Ｎリセット手段から出力される複数のＴＳ信号をそれぞれＯＦＤＭ信号に再変調する複数のＯＦＤＭ変調手段と、前記複数のＯＦＤＭ変調手段から出力される複数のＯＦＤＭ変調信号のいずれかを選択的に切替出力し、複数系統に分配する切替分配手段と、この切替分配手段から出力される複数のＯＦＤＭ変調信号をそれぞれ送信信号に変換する複数の変換手段と、前記複数の変換手段から出力される送信信号のいずれかを選択的に切替出力する切替手段と、この切替手段から出力される送信信号を送信アンテナから再送信する送信手段とを具備する。そして、前記Ｃ／Ｎリセット手段は、ＢＥＲ（Bit Error Ratio：ビット誤り率）値を演算して出力するＢＥＲ演算手段を備え、前記切替分配手段に対し、前記ＢＥＲ値に基づいて前記複数系統の信号選択を切り替えるＢＥＲ監視手段をさらに備えるものである。
【０００７】
または、複数の受信アンテナそれぞれでＯＦＤＭ変調信号によるデジタル放送波を受信する複数の受信手段と、前記複数の受信手段で受信された複数のＯＦＤＭ変調信号にそれぞれＣ／Ｎリセットを施してＴＳ信号を再構成し出力する複数のＣ／Ｎリセット手段と、前記複数のＣ／Ｎリセット手段から出力される複数のＴＳ信号のいずれかを選択的に切替出力し、複数系統に分配する切替分配手段と、前記切替分配手段から出力される複数系統のＴＳ信号をそれぞれＯＦＤＭ信号に再変調する複数のＯＦＤＭ変調手段と、このＯＦＤＭ変調手段から出力される複数のＯＦＤＭ変調信号をそれぞれ送信信号に変換する複数の変換手段と、前記複数の変換手段から出力される送信信号のいずれかを選択的に切替出力する切替手段と、この切替手段から出力される送信信号を送信アンテナから再送信する送信手段とを具備する。そして、前記Ｃ／Ｎリセット手段は、ＢＥＲ値を演算して出力するＢＥＲ演算手段を備え、前記切替分配手段に対し、前記ＢＥＲ値に基づいて前記複数系統の信号選択を切り替えるＢＥＲ監視手段をさらに備えるようにする。
【０００８】
上記構成による放送用中継装置では、いずれもＣ／Ｎリセット装置を用いて受信信号のＣ／Ｎ劣化をリセットしたのち、ＯＦＤＭ変調して再送出するようにする。これにより、中継装置及び伝搬路上の信号のＣ／Ｎ値の劣化を抑え、高品質に伝送することが可能となる。
【発明の効果】
【０００９】
したがってこの発明によれば、デジタル放送信号を劣化させることなく、高品質に伝送することのできる放送用中継装置を提供することができる。
【発明を実施するための最良の形態】
【００１０】
以下、図面を参照してこの発明の実施の形態を詳細に説明する。  
（第１の実施形態）  
図１は、この発明に係わる放送用中継装置の第１の実施形態の構成を示すブロック図である。図１において、空中線１０１及び空中線１０２からなるダイバーシティ受信アンテナにより受信されたデジタル放送ＯＦＤＭ信号は、それぞれ分配されて、ＳＤ（Space Diversity）受信変換部１１１及びＳＤ受信変換部１１２に供給される。ＳＤ受信変換部１１１，１１２は、各受信信号を用いて切替または合成処理を行なったのち、周波数変換して中間周波数（ＩＦ）帯のアナログＯＦＤＭ信号をＣ／Ｎリセット処理部１２１，１２２にそれぞれ出力する。
【００１１】
Ｃ／Ｎリセット処理部１２１，１２２では、上記ＩＦ帯ＯＦＤＭ信号からＴＳ信号が再構成される。図２は、Ｃ／Ｎリセット処理部１２１，１２２の構成を示すブロック図である。Ｃ／Ｎリセット処理部１２１，１２２に入力されたＩＦ帯ＯＦＤＭ信号は、ダウンコンバータ１２０１により周波数変換され、Ａ／Ｄ変換器１２０２を介してデジタル変換される。このデジタルＯＦＤＭ信号は、ＯＦＤＭ復調器１２０３及びＢＥＲ演算器１２０４にそれぞれ供給され、ＯＦＤＭ復調器１２０３では、上記デジタルＯＦＤＭ信号を復調し、ＯＦＤＭ変調器で再変調可能なＴＳ信号を出力する。ＢＥＲ演算器１２０４は、入力されたデジタルＯＦＤＭ信号からビット誤り率を演算し、ＢＥＲ値として出力する。
【００１２】
Ｃ／Ｎリセット処理部１２１，１２２から出力されたＴＳ信号は、ＯＦＤＭ変調部１３１，１３２にそれぞれ供給される。そして、ＯＦＤＭ変調部１３１，１３２では、Ｒｂ発振器１４により供給されるルビジウム基準クロックにより上記ＴＳ信号を再変調し、ＩＦ帯ＯＦＤＭ信号に周波数変換する。このＩＦ帯ＯＦＤＭ信号は、送信変換部１５１，１５２に供給され、ここで予め決められた無線周波数（ＲＦ）帯のＯＦＤＭ信号に変換される。そして、上記ＲＦ信号は、電力増幅器１６１，１６２により電力増幅されたて、切替器１７に入力される。切替器１７では、現用系と予備系の２つの信号からいずれかを選択して、デジタル放送信号の再送出力として送信アンテナ１８から送出する。
【００１３】
以上のように上記第1の実施形態では、空中線１０１，１０２によりそれぞれ受信されたデジタル放送のＯＦＤＭ信号をＣ／Ｎリセット処理部１２１，１２２を用いて、ＴＳ信号に変換することでＣ／Ｎ劣化をリセットする。そして、このＴＳ信号をＯＦＤＭ変調器２０１，２０２において再度ＯＦＤＭ変調して再送出するようにしたものである。ＴＳ信号を再構成することにより、Ｃ／Ｎ劣化を改善し、これにより伝搬路上又は中継装置で信号の劣化が発生しても、これを電力増幅して再送出してしまうような不具合を解消する。
【００１４】
（第２の実施形態）  
図３は、この発明に係わる放送用中継装置の第２の実施形態の構成を示すブロック図である。なお、同図において前記図１と同一部分には同一符号を付し、詳しい説明は省略する。  
この放送用中継装置は、ＢＥＲ監視部２１をさらに備える。また、ＳＤ切替分配処理をＴＳ信号のＯＦＤＭ変調後に行なうように構成したもので、図１におけるＳＤ受信変換部１１１，１１２の替わりに、ＳＤ切替分配器２２とＳＤ切替機能を有しない受信変換部１９１，１９２とを備える。また、ＯＦＤＭ変調器２０１，２０２では、Ｃ／Ｎリセット処理部１２１，１２２から供給されるＴＳ信号を遅延させることで、ＩＦ帯ＯＦＤＭ信号を同期出力する。
【００１５】
さて、Ｃ／Ｎリセット処理部１２１，１２２は、上記第1の実施形態で示したように、受信変換部１９１，１９２により入力されるＩＦ帯ＯＦＤＭ信号をそれぞれＴＳ信号に変換する。また、Ｃ／Ｎリセット処理部１２１，１２２は、演算したＢＥＲ値をＢＥＲ監視部２１に入力する。ＢＥＲ監視部２１は、入力されたＢＥＲ値を監視し、このＢＥＲ値をもとにＳＤ切替分配器２２に対し切替信号を送出する。この切替信号を受けて、ＳＤ切替分配器２２は、ＯＦＤＭ変調器２０１，２０２からそれぞれ出力されるＩＦ帯ＯＦＤＭ信号を切り替えて分配するようにしている。
【００１６】
したがって、第２の実施形態においても、上記第１の実施形態と同様の効果を得ることができる。しかも、第２の実施形態では、Ｃ／Ｎリセット処理部１２１，１２２において演算されるＢＥＲ値が示す特性に基づいて各受信アンテナによる受信信号を切り替えるようにしている。これにより、上記第1の実施形態のような各受信信号の単なる合成または切替方式と比べると、さらに高品質の信号を送出することができる。
【００１７】
（第３の実施形態）  
図４は、この発明に係わる放送用中継装置の第３の実施形態の構成を示すブロック図である。なお、同図において前記図１及び図３と同一部分には同一符号を付し、詳しい説明は省略する。  
この放送用中継装置は、上記第２の実施形態と同様にＢＥＲ監視部２１を備える。また、ＳＤ同期切替分配器２２に替えてＴＳ同期切替分配器２３を備えるようにする。ＴＳ同期切替分配器２３は、Ｃ／Ｎリセット処理部１２１，１２２から出力されるＴＳ信号を遅延させることで同期をとり、ＢＥＲ監視部２１から送られる切替信号をもとに、ＴＳ信号を切り替えて分配するものである。
【００１８】
したがって、第３の実施形態においても上記第２の実施形態と同様にＣ／Ｎ値の劣化を改善することができ、さらに、Ｃ／Ｎリセット処理部１２１，１２２により演算されるＢＥＲ値をもとに受信信号を切り替え分配するため、品質の高い信号を再送出することができる。
【００１９】
なお、この発明は上記各実施形態に限定されるものではない。例えば、上記各実施形態において、受信信号の切り替え後に、現用系と予備系の２系統の送信処理部が設けられているが、１系統で構成することも可能である。その他、放送用中継装置やＣ／Ｎリセット処理部の構成や制御手順とその内容についても、この発明の要旨を逸脱しない範囲で種々変形して実施できる。
【００２０】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００２１】
【図１】この発明に係わる放送用中継装置の第１の実施形態の構成を示すブロック図。
【図２】図１に示すＣ／Ｎリセット処理部の構成を示す図。
【図３】この発明に係わる放送用中継装置の第２の実施形態の構成を示すブロック図。
【図４】この発明に係わる放送用中継装置の第３の実施形態の構成を示すブロック図。
【符号の説明】
【００２２】
１０１，１０２…空中線、１１１，１１２…ＳＤ受信変換部、１２１，１２２…Ｃ／Ｎリセット処理部、１３１，１３２…ＯＦＤＭ変調器、１４…Ｒｂ発振器、１５１，１５２…送信変換部、１６１，１６２…電力増幅器、１７…切替器、１８…送信アンテナ、１９１，１９２…受信変換部、２０１，２０２…ＯＦＤＭ変調器（ＴＳ遅延内蔵）、２１…ＢＥＲ監視部、２２…ＳＤ切替分配器、２３…ＴＳ同期切替分配器、１２０１…ダウンコンバータ、１２０２…Ａ／Ｄ変換器、１２０３…ＯＦＤＭ復調器、１２０４…ＢＥＲ演算器。
【図１】
2007020096.tif 000003
【図２】
2007020096.tif 000004
【図３】
2007020096.tif 000005
【図４】
2007020096.tif 000006